(57)【要約】【課題】窓枠を使用し耐久性、耐火性、断熱性などの諸特性を満足させながら、室外側から下枠と上枠とを見えないようにしてフレームレス化を実現し、デザイン性の向上を図った横連窓ＰＣカーテンウォールとする。【解決手段】上階側ＰＣカーテンウォールユニット１Ａ及び下階側ＰＣカーテンウォールユニット１Ｂは、コンクリート２の外面側に化粧板３が張設され、上面側に窓枠の下枠７が固設されるとともに、下面側に窓枠の上枠６が固設され、前記下枠７及び上枠６が前記コンクリートの開口部形成面よりも開口中心側方向に延在する前記化粧板３によって隠蔽され、前記化粧板３とガラスＧの室外側面との間に、前記化粧板３の縁部に掛かるように先端部を室外側方向に延出させたガラス支持用ガスケット１７を取り付ける。【選択図】図４
2013011148.tif 000002
【特許請求の範囲】
【請求項１】
建物の窓部を挟んで上階側腰部及び下階側腰部にそれぞれＰＣカーテンウォールユニットを固設し、上階側ＰＣカーテンウォールユニットと下階側ＰＣカーテンウォールユニットとの空間に水平方向に間隔を空けて方立を設け、これら上階側ＰＣカーテンウォールユニットと下階側ＰＣカーテンウォールユニットと方立とによって囲まれた各開口部にガラスを支持させた横連窓ＰＣカーテンウォールにおいて、
前記上階側ＰＣカーテンウォールユニット及び下階側ＰＣカーテンウォールユニットは、コンクリートの外面側に化粧板が張設され、かつ前記コンクリートの上面側に下枠が固設されるとともに、下面側に上枠が固設され、
前記下枠及び上枠が前記コンクリートの開口部形成面よりも開口中心側方向に延在する前記化粧板によって隠蔽され、前記化粧板とガラス室外側面との間に、前記化粧板の縁部に掛かるように先端部を室外側方向に延出させたガラス支持用ガスケットを取り付けたことを特徴とする横連窓ＰＣカーテンウォール。
【請求項２】
前記下枠及び上枠は、ガラス嵌合溝を形成するために室外側に起立片を有するとともに、該起立片の先端位置は前記化粧板の先端位置とほぼ同じ見付け位置となるように形成され、
前記起立片と前記化粧板との間に所定の隙間を有するとともに、該隙間にシール材を充填して封鎖し、前記ガラス支持用ガスケットが前記シール材を覆っている請求項１記載の横連窓ＰＣカーテンウォール。
【請求項３】
前記シール材として、変形性能の高い軟質系材料を用いてある請求項２記載の横連窓ＰＣカーテンウォール。
【請求項４】
前記ガラス支持用ガスケットの室外側方向に延出させた先端部において、前記化粧板側の面にＬ字状の段部を形成し、このＬ字状段部を前記化粧板の縁部に係合させてある請求項１〜３いずれかに記載の横連窓ＰＣカーテンウォール。
【請求項５】
前記ガラス支持用ガスケットは、ガラス面の室外側からガラスと前記起立片との間に挿入可能な構造としてある請求項２、３いずれかに記載の横連窓ＰＣカーテンウォール。
【請求項６】
前記方立は、室外側に前記ガラス支持用ガスケットの先端と見込み方向に同位置となる同面位置に見付け板状面を有するとともに、この見付け板状面の両端から室内方向に起立する第２起立片を有し、ガラス室外側面と前記第２起立片との間に第２ガラス支持用ガスケットを取付けてある請求項１〜５いずれかに記載の横連窓ＰＣカーテンウォール。
【請求項７】
前記第２ガラス支持用ガスケットの室外側方向に延出させた先端部において、前記見付け板状面側の面にＬ字状の段部を形成する一方、前記見付け板状面と第２起立片との外面側隅部に段差部を形成し、この段差部に前記第２ガラス支持用ガスケット先端部のＬ字状段部を係合させてある請求項６記載の横連窓ＰＣカーテンウォール。
【請求項８】
前記第２ガラス支持用ガスケットは、ガラス面の室外側からガラスと前記第２起立片との間に挿入可能な構造としてある請求項６，７いずれかに記載の横連窓ＰＣカーテンウォール。
【請求項９】
前記ＰＣカーテンウォールユニットにおいて、前記下枠に近接する化粧板の上面を外側に向けて傾斜させ排水勾配を設けてある請求項１〜８いずれかに記載の横連窓ＰＣカーテンウォール。
【請求項１０】
前記下枠及び上枠は、コンクリートに埋設されたアンカーフィンによって固定され、前記下枠部において、前記アンカーフィンと前記起立片との間にコンクリート内を貫通する排水路を設けてある請求項２、３、５いずれかに記載の横連窓ＰＣカーテンウォール。
【発明の詳細な説明】
【技術分野】
【０００１】
本発明は、室外側から下枠と上枠とを見えないようにしてデザイン性を向上させた横連窓ＰＣカーテンウォールに関する。
【背景技術】
【０００２】
特に中層から高層のビル等では盛んにカーテンウォール工法が採用されている。このカーテンウォール工法には、今まで種々のものが提案されているが、外壁を構成するＰＣ版（プレキャストコンクリート版）と、このＰＣ版によって支持されるガラス等のパネルからなるＰＣカーテンウォールが市場に多く提供されている。
【０００３】
前記ＰＣ版は、外面にレンガ、タイルや本石などの化粧板が一体的に張設され、外壁面のデザイン自由度が高いなどのメリットを有する他、高強度であるとともに、高い耐火性と断熱性を有し、かつ製造コストが廉価であるなどの利点を有し、近年の建物では多く採用されている。
【０００４】
前記ＰＣカーテンウォールの例としては、例えば下記特許文献１を挙げることができる。このＰＣカーテンウォールは、図１１に示されるように、ガラスを有するカーテンウォールユニット５０、５０…と、プレキャストコンクリート製のＰＣカーテンウォール５１、５１…とを備えて構成されており、前記ＰＣカーテンウォール５１，５１…を建物壁面に固定するとともに、ＰＣカーテンウォール５１、５１…によって四周が囲まれた開口部に対してカーテンウォールユニット５０、５０…を設置した構造とされる。前記カーテンウォールユニット５０は、上枠５２、下枠５３、および左右の縦枠５４，５５を四周枠組みした枠体内に障子を備えた構造となっている。
【０００５】
前述したＰＣカーテンウォールにおいては、アルミ合金又はスチール等からなる窓枠を室外側に露出させた構造が一般的となっているが、近年はデザインの多様化によって、窓枠を露出させずにフレームレス化を図ったものも好まれる傾向にある。
【０００６】
他方で、窓枠を有しないＰＣカーテンウォール構造が、下記特許文献２に開示されている。この特許文献２では、図１２に示されるように、ガラス板Ｇ（板材）の端部を嵌め込む板材嵌込溝５６とジッパー５７を嵌め込むジッパー溝５８とをゴム本体５９に形成し、該ゴム本体５９にコンクリート部６０の取付溝６１に嵌合されるアンカー６２を突設したジッパーガスケット６３が採用されている。
【先行技術文献】
【特許文献】
【０００７】
【特許文献１】特開２００９−２７０２５１号公報
【特許文献２】特開２００５−２９９１７８号公報
【発明の概要】
【発明が解決しようとする課題】
【０００８】
しかしながら、前記特許文献２に開示されたガラス支持構造の場合は、ガラス周囲に見付け幅の大きいジッパーガスケット６３が室外側から見えるためデザイン性が悪いとともに、火災時には簡単にジッパーガスケット６３が溶融しガラス自体が落下するおそれがあり耐火仕様を実現できていない。また、ジッパーガスケット６３の経年劣化による強度低下が懸念されるなどの問題があった。
【０００９】
そこで本発明の主たる課題は、窓枠を使用し耐久性、耐火性、断熱性などの諸特性を満足させながら、室外側から下枠と上枠とを見えないようにしてフレームレス化を実現し、デザイン性の向上を図った横連窓ＰＣカーテンウォールを提供することにある。
【課題を解決するための手段】
【００１０】
前記課題を解決するために請求項１に係る本発明として、建物の窓部を挟んで上階側腰部及び下階側腰部にそれぞれＰＣカーテンウォールユニットを固設し、上階側ＰＣカーテンウォールユニットと下階側ＰＣカーテンウォールユニットとの空間に水平方向に間隔を空けて方立を設け、これら上階側ＰＣカーテンウォールユニットと下階側ＰＣカーテンウォールユニットと方立とによって囲まれた各開口部にガラスを支持させた横連窓ＰＣカーテンウォールにおいて、
前記上階側ＰＣカーテンウォールユニット及び下階側ＰＣカーテンウォールユニットは、コンクリートの外面側に化粧板が張設され、コンクリートの上面側に下枠が固設されるとともに、コンクリートの下面側に上枠が固設され、
前記下枠及び上枠が前記コンクリートの開口部形成面よりも開口中心側方向に延在する前記化粧板によって隠蔽され、前記化粧板とガラス室外側面との間に、前記化粧板の縁部に掛かるように先端部を室外側方向に延出させたガラス支持用ガスケットを取り付けたことを特徴とする横連窓ＰＣカーテンウォールが提供される。
【００１１】
上記請求項１記載の発明においては、上階側ＰＣカーテンウォールユニット及び下階側ＰＣカーテンウォールユニットは、コンクリートの外面側に化粧板が張設され、前記コンクリートの上面側に下枠が固設されるとともに、下面側に上枠が固設され、前記下枠及び上枠が前記コンクリートの開口部形成面よりも開口中心側方向に延在する前記化粧板によって隠蔽された構造とするものである。従って、窓枠を使用しているため耐久性、耐火性、断熱性などの諸特性を満足することができるとともに、化粧板によって下枠及び上枠が外部から隠蔽されるため視覚的にフレームレス化を実現することができる。
【００１２】
また、前記化粧板とガラス室外側面との間に、前記化粧板の縁部に掛かるように先端部を室外側方向に延出させたガラス支持用ガスケットを取り付けてあるため、ガラス支持用ガスケットから化粧板までの連続性が確保され、雨水等が隙間から浸入するのを防止するようになる。
【００１３】
請求項２に係る本発明として、前記下枠及び上枠は、ガラス嵌合溝を形成するために室外側に起立片を有するとともに、該起立片の先端位置は前記化粧板の先端位置とほぼ同じ見付け位置となるように形成され、
前記起立片と前記化粧板との間に所定の隙間を有するとともに、該隙間にシール材を充填して封鎖し、前記ガラス支持用ガスケットが前記シール材を覆っている請求項１記載の横連窓ＰＣカーテンウォールが提供される。
【００１４】
上記請求項２記載の発明は、請求項１に係る発明に加え、窓部の好適な納まり構造を限定したものである。具体的には、前記起立片と前記化粧板との間に所定の隙間を有するとともに、該隙間にシール材を充填して封鎖しているため、負圧、地震力、熱膨張などの影響によって窓枠から化粧板に外力が作用した際、前記シール材が緩衝材となって外力の作用をほぼ無くすか低減し、前記化粧板に割れや欠損が発生するのを防止する。更に、前記ガラス支持用ガスケットが前記シール材を覆うことでシール材の経年劣化を防止することができる。
【００１５】
請求項３に係る本発明として、前記シール材として、変形性能の高い軟質系材料を用いてある請求項２記載の横連窓ＰＣカーテンウォールが提供される。
【００１６】
上記請求項３記載の発明は、前記シール材として、変形性能の高い軟質系材料を用いることにより、負圧、地震力、熱膨張などの影響によって窓枠から化粧板に作用する外力を効果的に吸収することが可能となる。
【００１７】
請求項４に係る本発明として、前記ガラス支持用ガスケットの室外側方向に延出させた先端部において、前記化粧板側の面にＬ字状の段部を形成し、このＬ字状段部を前記化粧板の縁部に係合させてある請求項１〜３いずれかに記載の横連窓ＰＣカーテンウォールが提供される。
【００１８】
上記請求項４記載の発明は、前記ガラス支持用ガスケットの室外側方向に延出させた先端部において、前記化粧板側の面にＬ字状の段部を形成し、このＬ字状段部を前記化粧板の縁部に係合させるようにしたものである。従って、化粧板の縁部とガラス支持用ガスケットの先端部とがＬ字状の２面で接触するため、雨水等の浸入をより効果的に防止できるようになる。
【００１９】
請求項５に係る本発明として、前記ガラス支持用ガスケットは、ガラス面の室外側からガラスと前記起立片との間に挿入可能な構造としてある請求項２、３いずれかに記載の横連窓ＰＣカーテンウォールが提供される。
【００２０】
上記請求項５記載の発明は、前記ガラス支持用ガスケットは、ガラス面の室外側からガラスと前記起立片との間に挿入可能な構造とすることで、ガラス支持用ガスケットが経年劣化した際、室外側から簡単に交換することが可能となる。
【００２１】
請求項６に係る本発明として、前記方立は、室外側に前記ガラス支持用ガスケットの先端と見込み方向に同位置となる同面位置に見付け板状面を有するとともに、この見付け板状面の両端から室内方向に起立する第２起立片を有し、ガラス室外側面と前記第２起立片との間に第２ガラス支持用ガスケットを取付けてある請求項１〜５いずれかに記載の横連窓ＰＣカーテンウォールが提供される。
【００２２】
上記請求項６記載の発明は、縦枠側となる方立の構造を限定したものである。この縦枠側において、前記下枠と上枠とに設けたガラス支持用ガスケットの連続性を確保するようにしている。具体的には、前記方立は、室外側に前記ガラス支持用ガスケットの先端と見込み方向に同位置となる同面位置に見付け板状面を有するとともに、この見付け板状面の両端から室内方向に起立する第２起立片を有するようにする。この第２起立片はガラス支持用ガスケットを支持するためのものであるが、ガスケット支持部は、前記起立片のガスケット支持部と周方向に連続させるようにしている。そして、ガラス室外側面と前記第２起立片との間に第２ガラス支持用ガスケットを取付けるようにする。これにより、方立と下枠及び上枠との間でガラス支持用ガスケットの連続性が確保されるようになる。
【００２３】
請求項７に係る本発明として、前記第２ガラス支持用ガスケットの室外側方向に延出させた先端部において、前記見付け板状面側の面にＬ字状の段部を形成する一方、前記見付け板状面と第２起立片との外面側隅部に段差部を形成し、この段差部に前記第２ガラス支持用ガスケット先端部のＬ字状段部を係合させてある請求項６記載の横連窓ＰＣカーテンウォールが提供される。
【００２４】
上記請求項７記載の発明は、ガラス支持用ガスケットの先端部の構造に関して、下枠及び上枠で採用した請求項４に係る発明と類似の構造を採用したものである。具体的には、前記第２ガラス支持用ガスケットの室外側方向に延びた先端部において、前記見付け板状面側の面にＬ字状の段部を形成する。また、前記見付け板状面と第２起立片との外面側隅部に段差部を形成し、この段差部に前記第２ガラス支持用ガスケット先端部のＬ字状段部を係合させるようにする。従って、方立においても、方立の縁部とガラス支持用ガスケットの先端部とがＬ字状の２面で接触するため、雨水等の浸入をより効果的に防止できるようになる。
【００２５】
請求項８に係る本発明として、前記第２ガラス支持用ガスケットは、ガラス面の室外側からガラスと前記第２起立片との間に挿入可能な構造としてある請求項６，７いずれかに記載の横連窓ＰＣカーテンウォールが提供される。
【００２６】
上記請求項８記載の発明は、前記第２ガラス支持用ガスケットも、ガラス面の室外側からガラスと前記起立片との間に挿入可能な構造とすることで、第２ガラス支持用ガスケットが経年劣化した際、室外側から簡単に交換することが可能となる。
【００２７】
請求項９に係る本発明として、前記ＰＣカーテンウォールユニットにおいて、前記下枠に近接する化粧板の上面を外側に向けて傾斜させ排水勾配を設けてある請求項１〜８いずれかに記載の横連窓ＰＣカーテンウォールが提供される。
【００２８】
上記請求項９記載の発明は、下枠部において、前記化粧板の上面を外側に向けて傾斜させ排水勾配を設けたため、雨水を効果的に排出することが可能となる。
【００２９】
請求項１０に係る本発明として、前記下枠及び上枠は、コンクリートに埋設されたアンカーフィンによって固定され、前記下枠部において、前記アンカーフィンと前記起立片との間にコンクリート内を貫通する排水路を設けてある請求項２、３、５いずれかに記載の横連窓ＰＣカーテンウォールが提供される。
【００３０】
上記請求項１０記載の発明は、前記アンカーフィンを避け、前記アンカーフィンと前記起立片との間にコンクリート躯体内を貫通する排水通路を設けて雨水の排水を行うようにしたものである。
【発明の効果】
【００３１】
以上詳説のとおり本発明によれば、窓枠を使用し耐久性、耐火性、断熱性などの諸特性を満足させながら、室外側から下枠と上枠とを見えないようにしてフレームレス化を実現し、デザイン性の向上を図ることが可能となる。
【図面の簡単な説明】
【００３２】
【図１】本発明に係る横連窓ＰＣカーテンウォールを用いた建物の外観図である。
【図２】図１のII−II線矢視図（横断面図）である。
【図３】図１のIII−III線矢視図（縦断面図）である。
【図４】ＰＣカーテンウォールの窓部縦断面図である。
【図５】ＰＣカーテンウォールの窓部横断面図である。
【図６】ガラスＧ及びその支持部材を省略した方立５部分の縦断面図であある。
【図７】図６のVII−VII線矢視図（上枠６の外観図）である。
【図８】図６のVIII−VIII線矢視図（上枠６の内観図）である。
【図９】図６のIX−IX線矢視図（方立横断面図）である。
【図１０】ガラス支持用ガスケットの他例を示す上枠部縦断面図である。
【図１１】特許文献１に係るＰＣカーテンウォールの外観図である。
【図１２】特許文献２に係るジッパーガスケットの要部縦断面図である。
【発明を実施するための形態】
【００３３】
以下、本発明の実施の形態について図面を参照しながら詳述する。
【００３４】
図１〜図３に示されるように、本カーテンウォールは、建物の窓部Ｗを挟んで上階側腰部及び下階側腰部にそれぞれＰＣカーテンウォールユニット１Ａ、１Ｂを固設し、上階側ＰＣカーテンウォールユニット１Ａと下階側ＰＣカーテンウォールユニット１Ｂとの空間に水平方向に間隔を空けて方立５，５…を設け、これら上階側ＰＣカーテンウォールユニット１Ａと下階側ＰＣカーテンウォールユニット１Ｂと方立５，５とによって囲まれた各開口部にガラスを支持させた横連窓ＰＣカーテンウォールである。
【００３５】
前記ＰＣカーテンウォールユニット１Ａ、１Ｂは、工場で製作され、建物の建設現場に搬入され、スパンドレル部（腰部）の床端部に設けられるファスナー（図示せず）によって水平方向に沿って並列するように設けられる。なお、ガラスＧについては、ＰＣカーテンウォールユニット１Ａ、１Ｂを取り付けた後、現場にて設置される。
【００３６】
以下、更に図面に基づいて詳述する。
【００３７】
前記ＰＣカーテンウォールユニット１Ａ、１Ｂのコンクリート２の外面側には化粧板３が張設され、前記コンクリート２の上面４Ｂに窓枠の一部となる下枠７が固設されるとともに、コンクリート２の下面４Ａに窓枠の一部となる上枠６が固設されている。ＰＣカーテンウォールユニット１Ａ、１Ｂで使用されるコンクリート２（以下、ＰＣ版ともいう。）は、流動性の高いコンクリートを使用し、型枠の隅々まで骨材を分離させることなく充填することができるようにするのが望ましく、コンクリート２の圧縮強度(設計基準強度)は、50N/mm2程度とするのが望ましい。外面側の化粧版３としては、本石やタイルなどを使用することが可能であるが、本ＰＣカーテンウォールユニット１Ａ、１Ｂでは、ＰＣ版２の表面に本石を張設している。本石の厚みは概ね２０〜４０mm程度である。
【００３８】
前記上枠６は、図４に示されるように、水平板６ａの室内側端部に裏面側に延在し、ＰＣ版２に埋設された第１アンカーフィン６ｂと、見込み幅内の裏面中間にＰＣ版２に埋設された第２アンカーフィン６ｃとによってＰＣ版２の下面４Ａに固定されている。内面側には、室外側端部にガスケット保持を兼ねるとともに、開口中心側に直立する起立片６ｄと、室内側端部に係止片６ｆと、中間に係止片６ｅとを有し、これら係止片６ｅ、６ｆに係止された横押縁１０が取り付けられ、前記起立片６ｄと横押縁１０とによってガラス嵌合溝Ｍが形成されている。前記アンカーフィン６ｂ、６ｃは、部材の全長に亘って設けられていても良いし、部分的であってもよい。更には断続的に設けられてもよい。
【００３９】
前記下枠７も、水平板７ａの室内側端部に裏面側に延在し、ＰＣ版２に埋設された第１アンカーフィン７ｂと、見込み幅内の裏面中間にＰＣ版２に埋設された第２アンカーフィン７ｃとによってＰＣ版２の上面４Ｂに固定されている。内面側には、室外側端部にガスケット保持を兼ねるとともに、開口中心側に直立する起立片７ｄと、室内側端部に係止片７ｆと、中間に係止片７ｅとを有し、これら係止片７ｅ、７ｆに係止された横押縁１１が取り付けられ、前記起立片６ｄと横押縁１１とによってガラス嵌合溝Ｍが形成されている。なお、前記下枠７においては、前記第２アンカーフィン７ｃと前記起立片７ｄとの間にコンクリート３内を貫通する排水路２４を設け、下枠７に浸入してきた雨水を排出するようにしている。
【００４０】
一方、方立５は、図５に示されるように、中空部を有する室内側方立５Ａと、室外に露出する見付け板状面５ｂを有するとともに、見付け板状面５ｂの両端から室内方向に起立する第２起立片５ｃ、５ｄを有する略Ｔ字断面の室外側方立５Ｂとが断熱性確保のために樹脂１４，１４によって連結された部材とされる。前記室内側方立５Ａは、前記上枠６に固定された断面Ｌ字状の方立支持部材８の起立部が中空部に挿入され、ボルト２５を室内側方立５Ａの室内側から貫通し、前記方立支持部材８の起立部に螺入させることにより固定されるとともに、前記下枠７に固定された断面Ｌ字状の方立支持部材９の起立部が中空部に挿入され、ボルト２５を室内側方立５Ａの室内側から貫通し、前記方立支持部材９の起立部に螺入させることにより、上枠６と下枠７との間に支持されている。前記室内側方立５Ａの両側には縦押縁１２，１３が取り付けられることにより、これら縦押縁１２，１３と前記第２起立片５ｃ、５ｄとによってガラス嵌合溝Ｍが形成されている。前記見付け板状面５ｂの室外側面は、後述する第２ガラス支持用ガスケット１８とガラス支持用ガスケット１７との連続性を確保するために、前記ガラス支持用ガスケット１７の先端と見込み方向に同位置となる同面位置に形成されている。
【００４１】
ガラスＧは複層ガラスとされ、前記上枠６，下枠７及び方立５によって四周方向に沿って形成されたガラス嵌合溝Ｍ内に支持されている。ガラスＧは、ガラスＧの室内側面の周囲において押縁１０〜１３との間に配置されたバックアップ材１５とシール材１６と、ガラスＧの室外側面の周囲において前記起立片６ｄ、７ｄとの間に配置されたガラス支持用ガスケット１７及び第２起立片５ｃ、５ｄとの間に配置された第２ガラス支持用ガスケット１８とによって挟み付けられるように支持されている。なお、前記ガラス支持用ガスケット１７と第２ガラス支持用ガスケット１８とは同部材である。
【００４２】
以下、更に前記上枠６，下枠７及び方立５，５からなる窓枠の納まり構造について手順をまじえながら詳述する。
【００４３】
図４に示されるように、前記上枠６、下枠７は、前記コンクリート２側に固設され、コンクリート２の開口部形成面４Ａ、４Ｂよりも開口中心側方向に延在する前記化粧板３によって隠蔽され、前記化粧板３とガラス室外側面との間に設けられた前記ガラス支持用ガスケット１７は、前記化粧板３の縁部に掛かるように先端部を室外側方向に延出させている。
【００４４】
詳しくは、前記上枠６及び下枠７は前記化粧板３を避けてコンクリート２側に固設され、前記化粧板３はコンクリート２の開口部（下面４Ａ、上面４Ｂ）よりも開口中心側方向に延在し、前記化粧板３の先端位置は前記窓枠５の各起立片６ｄ、７ｄの先端位置とほぼ同じ見付け位置となっている。前記化粧板３の先端位置は、前記方立５の各起立片６ｄ、７ｄの先端位置よりも僅かであれば手前側でもよいが、好ましくは同じ見付け位置か、前記起立片６ｄ、７ｄの先端位置よりも若干開口部側方向に突出して形成されているようにする。前記起立片６ｄ、７ｄと前記化粧板３との間には所定幅の隙間２０を有するようにし、この隙間２０にバックアップ材２１、シール材２２を充填して封鎖している。つまり、前記上枠６及び下枠７を化粧板３に接触させることなく配置し、これらの間に隙間２０を形成し、この隙間２０をシール材２２によって充填することにより、負圧、地震力、熱膨張などの影響によって前記上枠６及び下枠７から化粧板３側に外力が作用した際、前記シール材２２が緩衝材となって外力が作用しないようにするか低減させ、前記化粧板３に割れや欠損が発生するのを防止する。前記シール材２２としては、緩衝材としての機能を効果的に発揮するように、変形性能の高い軟質系材料を用いるのが望ましい。このようなシール材料としては、ポリサルファイド系やウレタン系が望ましい。
【００４５】
一方、方立５は、図６〜図９にも示されるように、前記上枠６に固定された方立支持部材８と、前記下枠７に固定された方立支持部材９とによって上枠６と下枠７との間に支持されるが、前記方立５と上枠６及び下枠７との間には空隙が設けられ、これらの空隙はシール材２８、３１が充填され封鎖される。これらシール材２８，３１の充填はガラスＧを嵌合した後に行われるために、工場において、方立５に対してそのための前処理を行っておく。具体的には、室外側方立５Ｂ側においては、同図６及び図７に示されるように、室外側方立５Ｂの見付け板状面５ｂと第２起立片５ｃ、５ｄとに囲まれた領域を封鎖するために、先ずＬ字断面のシール受け２６を配設するとともに、この外側（上側又は下側）にシール材２７を充填する。また、室内側方立５Ａ側においても、図６及び図８に示されるように、縦押縁１２，１３の内部を埋めるために、シール受け２９を配設するとともに、この外側（上側又は下側）にシール材３０を充填する。なお、化粧板３，３との間、ＰＣ版２，２との間のシール材３３は、カーテンウォールユニット間を埋めるシール材である。また、図６において、上枠６及び下枠７を覆うように設けたシール材３２は、ＰＣ版２，２の端部シールである。
【００４６】
前述した上枠６，下枠７及び方立５によって形成された開口部のガラス嵌合溝ＭにガラスＧを設置するが、これに先行して、前記上枠６の起立片６ｄと、前記下枠７の起立片７ｄに対してガラス支持用ガスケット１７を取り付けるとともに、室外側方立５Ｂの第２起立片５ｃ、５ｄに対して第２ガラス支持用ガスケット１８を取り付ける。前記ガラス支持用ガスケット１７は、図４に示されるように、略断面Ｌ字状を成す部材であり、一方の辺がガラス面に当接してガラスＧを支持する当接片１７ａであり、他方の辺は室外側方向に延び、前記シール材２２を覆う額縁部１７ｂとなっている。前記額縁部１７ｂの先端は前記化粧板３の縁部に掛かるようになっている。図示例では、前記額縁部１７ｂの先端部において、前記化粧板３側の面にＬ字状の段部１７ｃを形成し、このＬ字状段部１７ｃを前記化粧板３の縁部に係合させるようにしている。また、前記下枠７においては、ガラス面からの雨水が流下し易いように、前記化粧板３の上面３ａを外側に向けて傾斜させ排水勾配を設けている。
【００４７】
方立５側においては、図６に示されるように、前記第２起立片５ｃ、５ｄのガスケット支持部の室内側面ｐは、上枠６の起立片６ｄのガスケット支持部の室内側面ｑ及び下枠７の起立片７ｄのガスケット支持部の室内側面ｑと同じ見込み方向位置とされ、周方向に亘って連続するガスケット支持部が形成されている。前記第２ガラス支持用ガスケット１８は、前記上枠６及び下枠７に取り付けたガラス支持用ガスケット１７と同じ部材が使用され、周方向に連続するように取付けできるようになっている。
【００４８】
前記第２ガラス支持用ガスケット１８は、図５に示されるように、室外側方向に延出させた先端部において、前記見付け板状面５ｂ側の面にＬ字状の段部１８ｃを形成する一方、前記見付け板状面５ｂと第２起立片５ｃ、５ｄとの外面側隅部に段差部を形成し、この段差部に前記第２ガラス支持用ガスケット先端部のＬ字状段部１８ｃを係合させるようにしており、前記上下枠６，７のガラス支持用ガスケット１７と同じ納まり構造となっている。
【００４９】
前記ガラス支持用ガスケット１７、１８の設置が完了したならば、前記下枠７の底面にセッティングブロック２３を設置し、この上にガラスＧを載置したならば、上枠６、下枠７に横押縁１０、１１を取り付けるとともに、方立５に縦押縁１２，１３を取り付ける。そして、ガラスＧの背面側（室内面側）の周囲において、押縁１０〜１３との間にバックアップ材１５とシール材１６とを充填し、前記ガラス支持用ガスケット１７、１８と前記バックアップ材１５，シール材１６とによりガラスＧを挟みこむように支持する。
【００５０】
その後、図７に示すように、室外側方立５Ｂの上下部において、躯体との間隙をシール材２８を充填して埋め、図８に示されるように、室内側方立５Ａ及び縦押縁１２，１３と躯体との間隙にシール材３１を充填して埋めるようにする。
【００５１】
〔他の形態例〕
(1)上記形態例では、ガラス支持用ガスケット１７は、ガラスＧよりも先に取り付ける必要があり、経年劣化により交換が必要になった際、ガラスＧを取り外さないと交換できない構造となっているが、ガラス面の室外側からガラスＧと前記起立片６ｄ、７ｄ及び第２起立片５ｃ、５ｄとの間に挿入可能な構造とすることも可能である。具体的には図１０に示されるように（上枠６のみを図示）、上枠６の起立片６ｄにはガラス面方向に開口を向けたＬ字片６ｇを形成しておき、ガラス支持用ガスケット３４は、ガラス面側の当接片を前記Ｌ字片６ｇとガラス面との間に挿入される第１挿入部３４ａと、前記Ｌ字片６ｇに挿入される第２挿入３４ｂとから構成し、ガラス面の室外側から押入することにより設置可能とする。なお、室外側方向に延びる額縁部３４ｃについては、前記ガラス支持用ガスケット１７と同様、前記化粧板３側の面にＬ字状の段部３４ｄを形成し、このＬ字状段部３４ｄを前記化粧板３の縁部に係合させるようにしている。
【符号の説明】
【００５２】
１Ａ・１Ｂ…ＰＣカーテンウォールユニット、２…コンクリート、３…化粧板、４Ａ…（コンクリート２の）下面、４Ｂ…（コンクリート２の）上面、５…方立、５Ａ…室内側方立、５Ｂ…室外側方立、５ｂ…見付け板状面、５ｃ・５ｄ…第２起立片、６…上枠、７…下枠、８・９…方立支持部材、１０・１１…横押縁、１２・１３…縦押縁、１７…ガラス支持用ガスケット、１８…第２ガラス支持用ガスケット、１５・２２…バックアップ材、１６・２１…シール材、６ｂ・７ｂ…第１アンカーフィン、６ｃ・７ｃ…第２アンカーフィン
【図１】
2013011148.tif 000003
【図２】
2013011148.tif 000004
【図３】
2013011148.tif 000005
【図４】
2013011148.tif 000006
【図５】
2013011148.tif 000007
【図６】
2013011148.tif 000008
【図７】
2013011148.tif 000009
【図８】
2013011148.tif 000010
【図９】
2013011148.tif 000011
【図１０】
2013011148.tif 000012
【図１１】
2013011148.tif 000013
【図１２】
2013011148.tif 000014